(57)【要約】【課題】  マストに重量物を取り付けたまま保管、移動又は輸送等してもマスト破損の危険が少なく、しかも、マスト使用時に邪魔にならない、コスト上有利なマスト台及びマスト支持装置を提供する。【解決手段】  台座４と、該台座４の後部に起立状態と前方への倒伏状態に回動自在に設けられるマスト５と、該マスト５の上端部に配設される重量物（ランプ）６と、倒伏状態の前記マスト５を前記台座４から前方へ離間したマスト支持位置Ａにて支持する可動マスト受け１９と、該可動マスト受け１９を前記マスト支持位置Ａと前記台座４への収納位置Ｂとに変位可能に前記台座４上で支持する支持部材２０と、を備える。【選択図】    図２
2016046153.tif 000002
【特許請求の範囲】
【請求項１】
台座（４）と、該台座（４）の後部に起立状態と前方への倒伏状態に回動自在に設けられるマスト（５）と、該マスト（５）の上端部に配設される重量物（６）と、倒伏状態の前記マスト（５）を前記台座（４）から前方へ離間したマスト支持位置（Ａ）にて支持する可動マスト受け（１９）と、該可動マスト受け（１９）を前記マスト支持位置（Ａ）と前記台座（４）への収納位置（Ｂ）とに変位可能に前記台座（４）上で支持する支持部材（２０，４０）と、を備える、マスト台。
【請求項２】
前記支持部材（２０）が、前記可動マスト受け（１９）を前記台座（４）に対して前後揺動可能に連結する揺動アーム（２２）と、前記可動マスト受け（１９）を前記マスト支持位置（Ａ）に固定する突っ張り棒部材（２３）と、を備えている、請求項１に記載のマスト台。
【請求項３】
前記突っ張り棒部材（２３）が、前記台座（４）に前後揺動可能に連結される元側棒部材（２９）と、前記可動マスト受け（１９）に前後揺動可能に連結される先側棒部材（３０）と、を備え、前記元側棒部材（２９）と前記先側棒部材（３０）とが接続可能且つ分離可能とされている、請求項２に記載のマスト台。
【請求項４】
前記揺動アーム（２２）が、前記可動マスト受け（１９）から二股に延びて前記台座（４）に連結され、前記台座（４）の少なくとも前部が枠体であることと、前記揺動アーム（２２）が二股であることにより、前記揺動アーム（２２）の収納状態において前記台座（４）の前部が開放されている、請求項２又は３に記載のマスト台。
【請求項５】
前記支持部材（４０）が、前記可動マスト受け（１９）を前記台座（４）に対して上下揺動可能に連結する揺動アーム（４２）と、前記可動マスト受け（１９）を前記マスト支持位置（Ａ）に固定する引っ張り部材（４３）と、を備えている、請求項１に記載のマスト台。
【請求項６】
台座（４）と、該台座（４）の後部に起立状態と前方への倒伏状態に回動自在に設けられるマスト（５）と、該マスト（５）の上端部に配設される重量物（６）と、を備えるマスト台（２）に取り付けて使用するマスト支持装置（１８）であって、倒伏状態の前記マスト（５）を前記台座（４）から前方へ離間したマスト支持位置（Ａ）にて支持する可動マスト受け（１９）と、該可動マスト受け（１９）を前記マスト支持位置（Ａ）と前記台座（４）への収納位置（Ｂ）とに変位可能に前記台座（４）上で支持する支持部材（２０，４０）と、を備え、該支持部材（２０，４０）が、前記台座（４）への後付け用の取り付け部（２４，３１）を備えている、マスト支持装置。
【請求項７】
前記支持部材（２０）が、前記可動マスト受け（１９）を前記台座（４）に対して前後揺動可能に連結する揺動アーム（２２）と、前記可動マスト受け（１９）を前記マスト支持位置（Ａ）に固定する突っ張り棒部材（２３）と、を備え、前記揺動アーム（２２）と前記突っ張り棒部材（２３）が、前記台座（４）への後付け用の取り付け部（２４，３１）を備えている、請求項６に記載のマスト支持装置。
【請求項８】
前記突っ張り棒部材（２３）が、前記台座（４）に前後揺動可能に連結される元側棒部材（２９）と、前記可動マスト受け（１９）に前後揺動可能に連結される先側棒部材（３０）と、を備え、前記元側棒部材（２９）と前記先側棒部材（３０）とが接続可能且つ分離可能とされ、前記元側棒部材（２９）が前記台座（４）への後付け用の取り付け部（３１）を備えている、請求項７に記載のマスト支持装置。
【請求項９】
前記支持部材（４０）が、前記可動マスト受け（１９）を前記台座（４）に対して上下揺動可能に連結する揺動アーム（４２）と、前記可動マスト受け（１９）を前記マスト支持位置（Ａ）に固定する引っ張り部材（４３）と、を備え、前記揺動アーム（２２）と前記引っ張り部材（４３）が、前記台座（４）への後付け用の取り付け部（２４，３１）を備えている、請求項６に記載のマスト支持装置。
【発明の詳細な説明】
【技術分野】
【０００１】
本発明は、上端部に重量物が配設され、起立状態と倒伏状態とに姿勢変更可能なマストを有するマスト台に関するものである。本発明に係るマスト台は、例えば、土木工事現場やイベント会場などで夜間の照明に用いられる投光機の一部として適用可能なものである。
【０００２】
本発明はまた、既存のマスト台に取り付けて使用するマスト支持装置に関するものである。
【背景技術】
【０００３】
前記投光機の一種として、特許文献１に記載のものが提案されている。この投光機は、発電機が内部に収納される車輪付きの箱型フレームと、該箱型フレームの後部に垂直状態と水平状態に回転自在に設けられ、上部にランプが取り付けられる伸縮可能なマストと、を備える。ランプには発電機から電力が供給される。投光機の使用時には、特許文献１の図２０に示すように、マストが箱型フレーム上で起立させられ必要な長さに伸長されて、適切な高さ及び角度でランプから光が照射される。投光機の運搬時には、特許文献１の図２１に示すように、マストが収縮され前方へ倒されて、マスト受けを兼ねる水平ロック機構によって水平状態に保持される。水平ロック機構（マスト受け）は、箱型フレームの前部の定位置に配設されている。
【先行技術文献】
【特許文献】
【０００４】
【特許文献１】特開２００７−１１５４５７号公報
【発明の概要】
【発明が解決しようとする課題】
【０００５】
ところで、特許文献１の図２１及び図２２に示すように、マストにランプを取り付けたままで前記マスト受けに支持させてマストを水平状態に収納すると、投光機の保管中や、投光機の移動時、輸送時等に、前記マスト受けよりも前方に位置するランプの荷重によって、前記マスト受けよりも前方の箇所でマストが曲がってしまう心配がある。ランプの重さによるマストの破損は、箱型フレームの車輪を利用して投光機を移動させたり、トラックの荷台に積載して投光機を輸送したりする場合に、前記マスト受けから前記マストに伝わる振動が大きいほど起こり易い。また、マスト収納状態における前記マスト受けから前方へのマストの延び出し量が大きいほどマスト破損の危険が大きくなり、マストとランプの接続部近辺において特に破損が起こり易い。重量物としてのランプが大型になればなるほど、マスト収納状態でのランプと箱型フレームとの干渉を避けるために、前記マスト受けから前方へのマストの延び出し量が大きくならざるを得ないので、マスト破損の危険が相乗的に大きくなる。マストからランプを取り外して投光機を移動又は輸送すればマスト破損の危険はないが、移動又は輸送の都度マストからランプを取り外し、使用のたびにランプを取り付けるのは煩雑である。
【０００６】
この場合、マストの上端部付近を強化することで対応することもできるが、マストの重量が大きくなりすぎてしまったりコストがかかりすぎたりして、得策とは言えない。
【０００７】
また、ランプの重量や形状には多様性があるので、それに対応して機種ごとに最適なマスト構造を選択するとなると、製造も大変でコスト上も不利である。
【０００８】
さらに、マスト自体を強化することは、新製品には適用できるが、既存の投光機についてはなんら解決策とはならない。既存の投光機についても、簡易な手段でマストの破損を防止できることが望ましい。
【０００９】
本発明は、前記のような事情に鑑みてなされたもので、マストに重量物を取り付けたまま保管、移動又は輸送等してもマスト破損の危険が少なく、しかも、マスト使用時に邪魔にならない、コスト上有利なマスト台を提供しようとするものである。
【００１０】
本発明はまた、既存のマスト台に取り付けて使用することで前記と同様の作用効果を発揮し得るマスト支持装置を提供しようとするものである。
【課題を解決するための手段】
【００１１】
前記課題を解決するため、本発明に係るマスト台は、台座と、該台座の後部に起立状態と前方への倒伏状態に回動自在に設けられるマストと、該マストの上端部に配設される重量物と、倒伏状態の前記マストを前記台座から前方へ離間したマスト支持位置にて支持する可動マスト受けと、該可動マスト受けを前記マスト支持位置と前記台座への収納位置とに変位可能に前記台座上で支持する支持部材と、を備えることを特徴とする（請求項１）。
【００１２】
本発明において、前記マストを前記台座上で起立させた状態が前記マストの使用状態である。一方、前記マストを前記台座上で倒伏させた状態が前記マストの収納状態である。前記マストの収納状態においては、前記可動マスト受けが前記台座から前方へ離間したマスト支持位置にて、倒伏状態の前記マストを支持する。これにより、前記可動マスト受けが前記重量物に近い位置で前記マストを支持することになるので、マスト台の移動時や輸送時において、前記重量物の重さによる前記マストの破損の可能性が小さくなる。また、マストの破損を防止するために重量物の重さに応じてマスト自体を強化するという対策法と比べて、コスト上も有利である。
【００１３】
前記可動マスト受けは、前記台座上において、前記支持部材によって前記マスト支持位置と前記収納位置とに変位可能に支持される。このため、前記マストの使用時（前記可動マスト受けの不使用時）には前記可動マスト受けを前記台座側に収納することで、前記可動マスト受けが邪魔になることが防止できる。
【００１４】
なお、前記可動マスト受けは、前記マストを直接支持するものであってもよいし、前記重量物の少なくとも一部を支持することで前記マストを間接的に支持するものであってもよい。また、前記支持部材は、前記マストを収納状態にしたときに前記重量物を避けて前記マストを支持するように、前記重量物の輪郭に応じた配設態様とされる。
【００１５】
好適な実施の一形態として、前記支持部材が、前記可動マスト受けを前記台座に対して前後揺動可能に連結する揺動アームと、前記可動マスト受けを前記マスト支持位置に固定する突っ張り棒部材と、を備える態様とすることもできる（請求項２）。この場合、前記揺動アームを揺動させて前記可動マスト受けをマスト支持位置に配置し、該可動マスト受けと前記台座との間に前記突っ張り棒部材を介装することで、前記可動マスト受けがマスト支持位置に固定される。また、前記突っ張り棒部材を外すことで、前記可動マスト受けが前記台座側に収納される。
【００１６】
前記構成によれば、前記突っ張り棒部材によって前記可動マスト受けがマスト支持位置に固定されるので、前記可動マスト受けによるマスト支持が確実なものとなる。
【００１７】
好適な実施の一形態として、前記突っ張り棒部材が、前記台座に前後揺動可能に連結される元側棒部材と、前記可動マスト受けに前後揺動可能に連結される先側棒部材と、を備え、前記元側棒部材と前記先側棒部材とが接続可能且つ分離可能な態様とすることもできる（請求項３）。この場合、前記元側棒部材と前記先側棒部材とを互いに接続することで前記突っ張り棒部材が形成される。また、該突っ張り棒部材の不使用時には、前記元側棒部材と前記先側棒部材とを分離させておくことで、コンパクトな収納状態となる。
【００１８】
好適な実施の一形態として、前記揺動アームが、前記可動マスト受けから二股に延びて前記台座に連結され、前記台座の少なくとも前部が枠体であることと、前記揺動アームが二股であることにより、前記揺動アームの収納状態において前記台座の前部が開放されている態様とすることもできる（請求項４）。このようにすれば、前記揺動アームの収納状態において前記台座の前部が開放されるので、該台座の前部から台座内へのアクセスが容易となるほか、例えば、前記台座内に排気を伴う機器を搭載する場合に、前記台座の前方への排気が妨げられることがなく、好適である。
【００１９】
好適な実施の一形態として、前記支持部材が、前記可動マスト受けを前記台座に対して上下揺動可能に連結する揺動アームと、前記可動マスト受けを前記マスト支持位置に固定する引っ張り部材と、を備える態様とすることもできる（請求項５）。この場合、前記揺動アームを揺動させて前記可動マスト受けをマスト支持位置に配置し、該可動マスト受けと前記台座との間に前記引っ張り部材を架設することで、前記可動マスト受けがマスト支持位置に固定される。また、前記引っ張り部材を外すことで、前記可動マスト受けが前記台座側に収納される。
【００２０】
前記構成によれば、前記引っ張り部材によって前記可動マスト受けがマスト支持位置に固定されるので、前記可動マスト受けによるマスト支持が確実なものとなる。
【００２１】
本発明に係るマスト支持装置は、台座と、該台座の後部に起立状態と前方への倒伏状態に回動自在に設けられるマストと、該マストの上端部に配設される重量物と、を備えるマスト台に取り付けて使用するマスト支持装置であって、前記台座から前方へ離間したマスト支持位置にて、倒伏状態の前記マストを支持する可動マスト受けと、該可動マスト受けを前記マスト支持位置と前記台座への収納位置とに変位可能に前記台座上で支持する支持部材と、を備え、該支持部材が、前記台座への後付け用の取り付け部を備えることを特徴とする（請求項６）。
【００２２】
前記マスト支持装置は、前記取り付け部を利用して既存のマスト台に取り付けることにより、前記と同様の作用効果を奏する。しかも、前記可動マスト受けや前記支持部材の大きさや形状を、台座やマストや重量物の様々な態様に適合する大きさや形状とすることで、様々なタイプの既存のマスト台に対して、前記作用効果を容易に付与することができる。
【００２３】
好適な実施の一形態として、前記支持部材が、前記可動マスト受けを前記台座に対して前後揺動可能に連結する揺動アームと、前記可動マスト受けを前記マスト支持位置に固定する突っ張り棒部材と、を備え、前記揺動アームと前記突っ張り棒部材が、前記台座への後付け用の取り付け部を備える態様とすることもできる（請求項７）。
【００２４】
好適な実施の一形態として、前記突っ張り棒部材が、前記台座に前後揺動可能に連結される元側棒部材と、前記可動マスト受けに前後揺動可能に連結される先側棒部材と、を備え、前記元側棒部材と前記先側棒部材とが接続可能且つ分離可能とされ、前記元側棒部材が前記台座への後付け用の取り付け部を備える態様とすることもできる（請求項８）。
【００２５】
好適な実施の一形態として、前記支持部材が、前記可動マスト受けを前記台座に対して上下揺動可能に連結する揺動アームと、前記可動マスト受けを前記マスト支持位置に固定する引っ張り部材と、を備え、前記揺動アームと前記引っ張り部材が、前記台座への後付け用の取り付け部を備える態様とすることもできる（請求項９）。
【図面の簡単な説明】
【００２６】
【図１】本発明の実施の一形態に係るマスト台及びマスト支持装置の適用対象の一例としての投光機の斜視図である。
【図２】図１のマスト台にマスト支持装置を取り付けたものであり、マスト収納状態を示す一部切欠側面図である。
【図３】図２のマスト支持装置の斜視図である。
【図４】図３のマスト支持装置の収納状態を示す斜視図である。
【図５】図２の要部の平面図である。
【図６】他の実施の形態に係るマスト支持装置の一部切欠側面図である。
【図７】図６の平面図である。
【図８】図６のマスト支持装置の収納状態を示す一部切欠側面図である。
【発明を実施するための形態】
【００２７】
以下、添付図面を参照して、本発明の実施の一形態について説明する。
【００２８】
本発明の実施の一形態に係るマスト台及びマスト支持装置は、例えば図１に示すような投光機について適用することができる。この種の投光機は、それ自体公知のものであり、例えば、土木工事現場やイベント会場などで夜間の照明に用いられる。
【００２９】
まず、前記投光機の全体構成について説明すると、図１の投光機１は、マスト台２と、該マスト台２の内部に収納される携帯式の電源３と、を備える。前記マスト台２は、台座４と、該台座４の後部に起立状態と前方への倒伏状態に回動自在に設けられるマスト５と、該マスト５の上端部に配設される、重量物としてのランプ６と、を備える。
【００３０】
前記台座４は、金属パイプを組み合わせて形成された箱型フレーム状のものであり、電源３となるエンジン式発電機又はバッテリーを内部に搭載するために、金属製の底板７を備えている。前記電源３は、前記底板７上に載置されてベルト（図示せず）で台座４に対して固定される。前記台座４は、移動手段としての車輪８を備えているのが好ましいが、車輪８を有することは必須ではなく、脚部で支持される態様であってもよい。また、車輪８は図１に示すような四輪であってもよいし、前輪又は後輪のみの二輪であってもよい。前記台座４の後部の左右両側には、折り畳み収納自在に構成される転倒防止用のアウトリガー９が配設される。
【００３１】
前記マスト５は、前記台座４上で前記ランプ６を支持するためのものであり、ランプ６の高さを調整できるように、伸縮自在な構成とされる。具体的には、中空筒状の下側の第一マスト部材１０と、第一マスト部材１０内にスライド自在に嵌入される上側の第二マスト部材１１と、を備え、それらが適宜の垂直ロック機構１２を介して連結されている。前記第二マスト部材１１の上端部に前記ランプ６が取り付けられる。ランプ６には、配線１３を通じて前記電源３から電力が供給される。なお、前記マスト５は、三本のマスト部材を伸縮自在に結合させたものであってもよい。
【００３２】
前記マスト５は、使用状態においては、図１に示すように、前記台座４の後部に起立させられる。一方、不使用状態においては、図２に実線で示すように、最も短い状態にまで収縮させて、前記台座４の前方へ倒して収納される。
【００３３】
図２に示すように、前記マスト５は、前記台座４の後部の上部に、ヒンジ機構１４を介して回動自在に取り付けられる。前記台座４の後部の下部には、前記マスト５の下端部５ａを固定してマスト５を起立状態に固定するための下端ロック機構１５が配設される。下端ロック機構１５は解放操作自在であり、例えば、クランプ式のものを用いることができる。前記下端ロック機構１５を解放操作し、収縮させた前記マスト５を前記ヒンジ機構１４の枢支軸１６を中心として前記台座４の前方へゆっくりと倒すことで、図２に実線で示すマスト収納状態となる。図１及び図２に示すように、マスト５を倒伏状態（収納状態）で支持するために、前記台座４の前部の上部には、Ｕ字状の固定マスト受け１７が配設される。
【００３４】
図２及び図３に示すように、前記マスト台２の前部には、本発明の実施の一形態に係るマスト支持装置１８が配設される。該マスト支持装置１８は、倒伏状態の前記マスト５を前記台座４から前方へ離間したマスト支持位置Ａ（図２及び図３に示す位置）にて支持する可動マスト受け１９と、該可動マスト受け１９を前記マスト支持位置と前記台座４への収納位置Ｂ（図４に示す位置）とに変位可能に前記台座４上で支持する支持部材２０と、を備える。図２の例では、前記台座４から前方へ距離Ｄだけ離間した位置で、前記可動マスト受け１９が前記マスト５を支持する。
【００３５】
この構成によれば、前記マスト５の収納状態において、前記可動マスト受け１９が前記台座４（前記固定マスト受け１７）から前方へ離間したマスト支持位置Ａにて、倒伏状態の前記マスト５を支持する。これにより、前記可動マスト受け１９がランプ６により近い位置でマスト５を支持することになる。このため、マスト台２の保管時や移動時や輸送時において、重量物であるランプ６の重さで前記マスト５が破損する可能性が小さくなる。また、マスト５の破損を防止するためにマスト５自体を強化するという対策法に比べて、コスト上も有利である。
【００３６】
前記可動マスト受け１９は、前記台座４上において、前記支持部材２０によって前記マスト支持位置Ａと前記収納位置Ｂとに変位可能に支持される。このため、前記マスト５の使用時（前記可動マスト受け１９の不使用時）には前記可動マスト受け１９を前記台座４側に収納することで、前記可動マスト受け１９が邪魔になることが防止できる。
【００３７】
図３に示すように、前記可動マスト受け１９は、前記固定マスト受け１７と同様に、マスト５を受け入れ易いＵ字状に形成されている。前記可動マスト受け１９は、前記マスト５を直接支持するものであってもよいし、前記ランプ６を前記マスト５に対して取り付けるためのブラケット２１（図１参照）等、ランプの少なくとも一部を支持することで前記マスト５を間接的に支持するものであってもよい。なお、図示してはいないが、前記可動マスト受け１９と前記固定マスト受け１７には、受け入れたマスト５を拘束するバンド式等の拘束具を設けておくと、マスト台２の移動時や輸送時の振動等でマスト受け１７，１９からマスト５が外れることが防止されて好適である。
【００３８】
図２及び図３に示すように、前記支持部材２０は、前記可動マスト受け１９を前記台座４に対して前後揺動可能に連結する揺動アーム２２と、前記可動マスト受け１９を前記マスト支持位置に固定する突っ張り棒部材２３と、を備える。前記揺動アーム２２を揺動させて前記可動マスト受け１９をマスト支持位置Ａに配置し、該可動マスト受け１９と前記台座４との間に前記突っ張り棒部材２３を介装することで、前記可動マスト受け１９がマスト支持位置にしっかりと固定される。また、前記突っ張り棒部材２３を外すことで、前記可動マスト受け１９が前記台座４側に収納される。
【００３９】
前記揺動アーム２２の後端部には、前記台座４への後付け用の取り付け部２４が設けられている。図示例では、前記台座４に対して容易に後付けできるように、前記取り付け部２４が、Ｕ字状の掛止金具２５と、該掛止金具２５の両端部を貫通する通しボルト２６と、で構成される。前記掛止金具２５に前記揺動アーム２２の後端部が溶接等の適宜の方法で固着されている。前記掛止金具２５は、前記台座４の前部の上部に配設される水平上パイプ２７に掛止される。そして、前記掛止金具２５の両端部に前記通しボルト２６を通し、該通しボルト２６の先端部にナット２８（図２参照）をねじ結合することで、前記揺動アーム２２が前記台座４に対して揺動可能に連結される。
【００４０】
図３の例では、前記揺動アーム２２が、前記可動マスト受け１９から二股に延びており、前記揺動アーム２２の二つの後端部のそれぞれに、前記取り付け部２４が設けられている。前記揺動アーム２２の前端部には、前記可動マスト受け１９が溶接等の適宜の方法で固着される。
【００４１】
前記突っ張り棒部材２３は、前記台座４に前後揺動可能に連結される元側棒部材２９と、枢支軸３６を介して前記可動マスト受け１９に前後揺動可能に連結される先側棒部材３０と、を備える。そして、前記元側棒部材２９と前記先側棒部材３０とが接続可能且つ分離可能とされている。この場合、前記元側棒部材２９と前記先側棒部材３０とを互いに接続することで、前記突っ張り棒部材２３が形成される。また、該突っ張り棒部材２３の不使用時には、前記元側棒部材２９と前記先側棒部材３０とを分離させておくことで、コンパクトな収納状態となる。
【００４２】
前記元側棒部材２９の後端部には、前記台座４への後付け用の取り付け部３１が設けられる。図示例では、前記台座４に対して容易に後付けできるように、前記揺動アーム２２と同様の構成の取り付け部を設けている。すなわち、前記取り付け部３１は、Ｕ字状の掛止金具３２と、該掛止金具３２の両端部を貫通する通しボルト３３と、で構成される。前記掛止金具３２に前記元側棒部材２９の後端部が溶接等の適宜の方法で固着される。前記掛止金具３２は、前記台座４の前部の下部に配設される水平下パイプ３４に掛止される。そして、前記掛止金具３２の両端部に前記通しボルト３３を通し、該通しボルト３３の先端部にナット３５（図２参照）をねじ結合することで、前記元側棒部材２９が前記台座４に対して揺動可能に連結される。
【００４３】
前記元側棒部材２９の前端部は、パイプ材からなる前記先側棒部材３０の後端部内に所定量だけ嵌入可能である。これにより、前記元側棒部材２９と前記先側棒部材３０とが接続可能且つ分離可能となる。図示してはいないが、前記元側棒部材２９と前記先側棒部材３０との接続部に係脱自在の係止ピンを設ける等して、前記元側棒部材２９と前記先側棒部材３０との不測の分離を規制しておけば、前記マスト台２の移動又は運搬時の振動で前記突っ張り棒部材２３による突っ張り作用が失われることが防止されて好適である。
【００４４】
図３に示す前記マスト支持装置１８の使用状態から、前記可動マスト受け１９を一時的に上方へと持ち上げると、前記元側棒部材２９と前記先側棒部材３０との接続が外れて、前記元側棒部材２９と前記先側棒部材３０が自重によって垂れ下がる。その後、前記可動マスト受け１９を下方へと導くことで、前記揺動アーム２２が前記水平上パイプ２７から垂れ下がる。この状態が、図４に示す前記マスト支持装置１８の収納状態である。
【００４５】
図４に示すマスト支持装置１８の収納状態において、前記揺動アーム２２、前記元側棒部材２９及び前記先側棒部材３０は、地面に接触することのない長さに設定するのが好ましい。
【００４６】
なお、前記マスト支持装置１８の収納状態において、前記元側棒部材２９と前記揺動アーム２２と前記先側棒部材３０とを前記台座４に対して固定する固定手段を設けておけば、マスト支持装置１８の収納状態で前記元側棒部材２９や前記揺動アーム２２の不必要な揺動が防止されて好適である。前記固定手段としては、マグネット式やゴムベルト式等、適宜の手段を採用することができる。
【００４７】
本実施の形態では、図４に示すように、前記台座４の少なくとも前部が枠体であることと、前記揺動アーム２２が二股であることにより、前記マスト支持装置１８の収納状態において、前記台座４の前部が開放されている。このため、前記電源３がエンジン式発電機である場合に、該発電機の排気口３７（図１参照）が前記台座４の前方へ向くように台座４内にエンジン式発電機を配置しても、排気が妨げられることがなく、収納状態のマスト支持装置１８が排気ガスによって汚損する等の問題もない。
【００４８】
前記マスト支持装置１８は、前記マスト台２と一体のものとして製造し、前記マスト台２と一体のものとして需要者に提供することもできる。この場合、前記可動マスト受け１９がマスト５の支持を担うので、必ずしも前記固定マスト受け１７を配設する必要はない。しかし、本実施の形態のもののように、マスト支持装置１８をマスト台２に後付け可能な構成とし、マスト支持装置１８単体として需要者に提供できるようにすると好適である。
【００４９】
すなわち、前記マスト支持装置１８は、前記取り付け部２４，３１を利用して既存のマスト台２に容易に後付けすることができる。後付けに当たって、既存のマスト台２に加工を施す必要は全くない。しかも、前記可動マスト受け１９や前記支持部材２０の大きさや形状として、台座４やマスト５やランプ６等の様々な態様に適合するものを準備しておき、需要者に選択させることで、様々なタイプの既存のマスト台２に対して適用可能となる。
【００５０】
具体的には、図５に示すように、前記マスト５を収納状態にしたときに前記揺動アーム２２と前記突っ張り棒部材２３とがランプ６を避けて前記可動マスト受け１９を支持し得るように、前記揺動アーム２２と前記突っ張り棒部材２３を、マスト５の収納状態におけるランプ６の輪郭に応じた配設態様とする。
【００５１】
図５とは別の態様として、揺動アーム２２と突っ張り棒部材２３とを、それぞれ一本の棒部材で構成することができる。これが揺動アーム２２と突っ張り棒部材２３の最もシンプルな配設態様である。また、揺動アーム２２を一本の棒部材とし、突っ張り棒部材２３を可動マスト受けから台座４に向かって二股に延びる態様とすることもできる。さらに、揺動アーム２２と突っ張り棒部材２３の双方を長さ調整自在なものとすることもできる。
【００５２】
他の態様のマスト支持装置４０として、前記支持部材２０に代えて、図６〜図８に示す支持部材４１を有するものを採用することもできる。この例では、前記可動マスト受け１９をマスト支持位置Ａ（図６に示す位置）と前記台座４への収納位置Ｂ（図８に示す位置）とに変位可能に前記台座４上で支持する支持部材４１として、前記可動マスト受け１９を前記台座４に対して上下揺動可能に連結する揺動アーム４２と、前記可動マスト受け１９を前記マスト支持位置Ａに固定する引っ張り部材（引っ張り棒部材）４３と、を備える。
【００５３】
図６に示すように、前記揺動アーム４２を揺動させて前記可動マスト受け１９をマスト支持位置Ａに配置し、該可動マスト受け１９と前記台座４との間に前記引っ張り棒部材４３を架設することで、前記可動マスト受け１９がマスト支持位置Ａにしっかりと固定される。また、前記引っ張り棒部材４３を外すことで、前記可動マスト受け１９が前記台座４側に収納される。
【００５４】
図６及び図７に示すように、前記揺動アーム４２は、前記可動マスト受け１９から後方へ向けて二股に延びており、前記揺動アーム４２の二つの後端部のそれぞれに、前記と同様の取り付け部２４が設けられている。前記揺動アーム４２は、前記取り付け部２４によって前記台座４の前記水平下パイプ３４に揺動可能に連結される。図７に示すように、前記揺動アーム４２の二本の腕の間には、連結用の水平ロッド４４が架設されている。
【００５５】
前記引っ張り棒部材４３の後端部には、前記と同様の取り付け部３１が配設される。前記引っ張り棒部材４３は、前記取り付け部３１によって前記台座４の前記水平上パイプ２７に揺動可能に連結される。前記引っ張り棒部材４３の前端部には、前記水平ロッド４４への解除操作自在な係止フック４５が配設されている。該係止フック４５を前記水平ロッド４４から外すと、前記引っ張り棒部材４３が前記水平上パイプ２７から垂れ下がった状態となり、且つ、前記揺動アーム４２が前記水平下パイプ３４から垂れ下がった状態となる。
【００５６】
ここで、図８に示すように、前記揺動アーム４２の前部４２ａ側が前記水平ロッド４４の軸心位置等の適宜の箇所を中心として、前記揺動アーム４２の後部４２ｂ側に対して、図８で見て反時計方向へのみ折り畳み可能な構成としておけば、前記揺動アーム４２の台座４への収納状態がコンパクトなものとなり、好適である。図８の状態が、マスト支持装置４０の収納状態である。
【００５７】
図示してはいないが、前記と同様に、図８に示すマスト支持装置４０の収納状態において、前記揺動アーム４２と前記引っ張り棒部材４３とを前記台座４に対して固定する適宜の固定手段を設けておけば好適である。
【００５８】
図６〜図８の例の場合にも、マスト５を収納状態にしたときに前記揺動アーム４２と前記引っ張り棒部材４３とがランプ６を避けて前記可動マスト受け１９をマスト支持位置Ａに支持し得るように、前記揺動アーム４２と前記引っ張り棒部材４３を、マスト５の収納状態におけるランプ６の輪郭に応じた配設態様とすることは勿論である。
【００５９】
なお、前記引っ張り棒部材４３に代えて、索条を用いることも可能である。
【００６０】
本発明に係るマスト台２及びマスト支持装置１８は、投光機１のほか、マスト５の上端部に重量物としてのスピーカを有する音響装置について適用することもできる。
【符号の説明】
【００６１】
２    マスト台
４    台座
５    マスト
６    ランプ（重量物）
１８  マスト支持装置
１９  可動マスト受け
２０  支持部材
２２  揺動アーム
２３  突っ張り棒部材
２４  取り付け部
２９  元側棒部材
３０  先側棒部材
３１  取り付け部
４０  支持部材
４２  揺動アーム
４３  引っ張り部材（引っ張り棒部材）
Ａ    マスト支持位置
Ｂ    収納位置
【図１】
2016046153.tif 000003
【図２】
2016046153.tif 000004
【図３】
2016046153.tif 000005
【図４】
2016046153.tif 000006
【図５】
2016046153.tif 000007
【図６】
2016046153.tif 000008
【図７】
2016046153.tif 000009
【図８】
2016046153.tif 000010